(57)【要約】      （修正有）【課題】ユーザーに直接的に様々な広告情報を提供し、この情報により直接的に注文することができるサービスシステム装置を提供する。【解決手段】ユーザーによって連結された無線通信設備を利用し、少なくとも、設定モジュールと、放送広告モジュールと、ショッピングカートモジュールと、生活情報モジュールが含有される。各モジュールは、イントラネットにより互いに連結され、またインターネットを介して外部に連結され、データの捕獲や送受信を行う。【選択図】図１
0003161955.tif 000002
【実用新案登録請求の範囲】
【請求項１】
ユーザーによって連結された無線通信設備を利用し、少なくとも、設定モジュールと放送広告モジュール、ショッピングカートモジュール及び生活情報モジュールが含有され、また、内部にある管理制御センターによって制御され、任意のユーザーが、該装置で、動的オーディオ/ビデオ広告や画像文字広告情報の受信や注文ができる行動広告放送と生活情報買物サービスシステム装置であって、
該設定モジュールは、好み広告分類ユニットと放送時間設定ユニット及び自動放送広告ユニットを有し、ユーザーにより選択したオプションを入力して、広告放送システムを設定することに利用され、また、各セットプログラムのウェブページに、それらのオプションの関連パラメーターが表示され、
該放送広告モジュールは、広告データベースを有し、オンライン注文ユニットと電話注文ユニット、ショッピングカートに入れユニット及び詳細データユニットが含有され、インターネットを介して、即時に、或いは、事前に広告を伝播して放送し、該電話注文ユニットにより、直接にダイヤルして、必要とする商品の購入リストを送信し、或いは、該オンライン注文ユニットを利用して、インターネットを介して、通信サーバーで、該購入リストを送信し、ユーザーが、詳細データユニットで、広告内容を確認することや該広告製品のウェーブサイトに連結して購入したい製品を確認した後、取引を行い、
該ショッピングカートモジュールは、オンライン注文ユニットと電話注文ユニット及び詳細データユニットが含有され、一時に、該ユーザーが、広告放送から選出した商品データを格納し、該電話注文ユニットで、直接にダイヤルして、該ショッピングカートモジュールの商品購入リストを送信し、或いは、該オンライン注文ユニットで、インターネットを介して、該通信サーバーから該購入リストを送信し、或いは、選択した広告製品の内容を再確認し、
該生活情報モジュールは、該通信サーバーを介して、該ユーザーに対して、インターネットで、日常生活情報を表示し、また、該通信サーバーを介して、インターネットで、該ユーザーの必要とする情報を有する各生活情報ウェーブサイトに連結し、
該管理制御センターは、外部プログラム制御と放送順番や時間、ファイル管理及び定期削除更新の管理機能を発揮し、また、インターネットを介して、該通信サーバーに連結でき、該広告データベースに格納されたユーザーの詳細データと購入リストを管理し、また、ユーザーが、クリックした広告記録を、通信サーバーに送信し、そして、該広告データベース内のデータの放送手順が、該管理制御センターによって設定された放送メカニズムにより、該広告データベースの内容を放送し、
上記各モジュールは、イントラネットにより、互いに連結され、また、インターネットを介して、外部に連結され、データの捕獲や送受信を行う、
ことを特徴とする行動広告放送と生活情報買物サービスシステム装置。
【請求項２】
該好み広告分類ユニットは、分類無しモードやコンピュータ情報モード、消費性電子モード、視聴家電モード、自動車バイクモード、服装付属品モード、飲食モード、映画予告モード及び他のモードが含有される、ことを特徴とする請求項１に記載の行動広告放送と生活情報買物サービスシステム装置。
【請求項３】
該放送時間設定ユニットは、期間制限無しモード、第一予定期間モード、第二予定期間モード、第三予定期間モード及びユーザー自己設定モードが含有される、ことを特徴とする請求項１に記載の行動広告放送と生活情報買物サービスシステム装置。
【考案の詳細な説明】
【技術分野】
【０００１】
本考案は、行動広告放送と生活情報買物サービスシステム装置に関し、特に、行動装置を利用して、外部から無線通信プロトコルにより、即時や非即時に、広告情報を視聴し、直接に商品を注文できる行動広告放送と生活情報買物サービスシステム装置に関し、特に、広告業者と生活業者、通路メーカ、ネット情報サービス及びオンライン買物を統合して、直接に、広大のユーザーに対して、動的オーディオ/ビデオ広告や画像文字広告情報の受信や注文を行うことを提供できるプラットホームに関する。
【背景技術】
【０００２】
コンピュータ科技や通信技術の快速発展とともに、インターネットや電子商取引が、素早くグローバル化され、そして、人々の生活モードを変化している。インターネットは、グローバルのコンピュータを連結して、情報を供給するハイウェイになり、国境を超えて、ファイルの伝送や電子メールの送受信の他に、リモートログイン（Remotelogin）やオンライントーク（On-line Talk）ができ、また、電子掲示板（Bulletin Board System、BBS）やワールドワイドウェブ（World Wide Web、WWW）等の機能が発揮でき、人々が、家に居ても、全世界をブラウズできる。特に、無線通信技術がより成熟になる際、人々が、色々の経路を介してインターネット接続でき、歩く時、携帯電話やパーソナルデジタルアシスタント（PDA）で、株価を照会でき、会社に入ると、デスクトップコンピュータやノートブック型コンピュータで、即時ニュースを閲覧でき、また、電子メールを送受信でき、帰宅した後、広帯域ネットワークで、映画を視聴でき、或いはMP3音楽をダウンロードできる。そのため、インターネットにより、人類の情報の受信や送信及び格納の方式が、徹底的に変化され、その中、電子商取引の盛大発展により、人類の取引モードが徹底的に変化された。
【０００３】（公序良俗違反につき、不掲載）【０００４】（公序良俗違反につき、不掲載）【０００５】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００６】
本考案の主な目的は、従来の上記問題を解消し、提供一種広告業者と生活業者、通路メーカ、ネット情報サービス及びオンライン買物を統合して、直接に、広大のユーザーに対して、動的オーディオ/ビデオ広告や画像文字広告情報の受信や注文を行うことが提供できるプラットホームを提供し、行動装置は、外部から無線通信プロトコルにより、行動広告放送と生活情報買物サービスシステム装置で、即時や非即時に、広告情報により、直接に、商品の注文ができ、買物できる。
【０００７】
本考案の他の目的は、直接に、懇意な且つ多元化の方式により、様々の広告をユーザーに提供する。
【課題を解決するための手段】
【０００８】
本考案は、上記の目的を達成するため、ユーザーによって連結された無線通信設備を利用し、少なくとも、設定モジュールと放送広告モジュール、ショッピングカートモジュール及び生活情報モジュールが含有され、また、内部にある管理制御センターによって制御され、任意のユーザーが、該装置で、動的オーディオ/ビデオ広告や画像文字広告情報の受信や注文ができる行動広告放送と生活情報買物サービスシステム装置であって、該設定モジュールは、好み広告分類ユニットと放送時間設定ユニット及び自動放送広告ユニットを有し、ユーザーにより選択したオプションを入力して、広告放送システムを設定することに利用され、また、各セットプログラムのウェブページに、それらのオプション関連パラメーターが表示され、該放送広告モジュールは、広告データベースを有し、オンライン注文ユニットと電話注文ユニット、ショッピングカートに入れユニット及び詳細データユニットが含有され、インターネットを介して、即時に、或いは、事前に広告を伝播して放送し、該電話注文ユニットにより、直接にダイヤルして、必要とする商品の購入リストを送信し、或いは、該オンライン注文ユニットで、インターネットを介して、通信サーバーで、該購入リストを送信し、ユーザーが、詳細データユニットで、広告内容を確認することや該広告製品のウェーブサイトに連結して購入したい製品を確認した後、取引を行い、該ショッピングカートモジュールは、オンライン注文ユニットと電話注文ユニット及び詳細データユニットが含有され、一時に、該ユーザーが、広告放送から選出した商品データを格納し、該電話注文ユニットは、直接にダイヤルして、該ショッピングカートモジュール中商品の購入リストを送信し、或いは、該オンライン注文ユニットで、インターネットを介して、該通信サーバーから該購入リストを送信し、或いは、選択した広告製品の内容を再確認し、該生活情報モジュールは、該通信サーバーを介して、該ユーザーに対して、インターネットで、日常生活情報を表示し、また、該通信サーバーを介して、インターネットで、該ユーザーの必要とする情報を有する各生活情報ウェーブサイトに連結し、該管理制御センターは、外部プログラム制御と放送順番や時間、ファイル管理及び定期削除更新の管理機能を発揮し、また、インターネットを介して、該通信サーバーに連結でき、該広告データベースに格納されたユーザーの詳細データと購入リストを管理し、また、ユーザーが、クリックした広告記録を、通信サーバーに送信し、そして、該広告データベース内のデータの放送手順が、該管理制御センターによって設定された放送メカニズムにより、該広告データベースの内容を放送し、上記各モジュールは、イントラネットにより、互いに連結され、また、インターネットを介して、外部に連結され、データの捕獲や送受信を行う、行動広告放送と生活情報買物サービスシステム装置である。
【０００９】
該ユーザーが操作する時、即時に、或いは予めに格納されたデータの放送を行い、該行動広告放送と生活情報買物サービスシステム装置は、該無線通信設備による設定や予定の順番で、該広告データベースの関連データを伝播し、ユーザーが、自身の好みにより、該広告データベースの関連データの捕獲順番とその伝播時間を設定でき、ユーザーが、選択した必要とする関連データを受信でき、興味のない関連データを受信することがない。
【００１０】
以下、図面を参照しながら、本考案の特徴や技術内容について、詳しく説明するが、それらの図面等は、参考や説明のためであり、本考案は、それによって制限されることが無い。
【図面の簡単な説明】
【００１１】
【図１】本考案の基本構造概念図
【図２】本考案の使用態様概念図
【考案を実施するための形態】
【００１２】
図１と図２は、それぞれ、本考案の基本構造概念図と本考案の使用態様概念図である。図のように、本考案は、行動広告放送と生活情報買物サービスシステム装置であり、該装置１は、少なくとも、設定モジュール１１と放送広告モジュール１２、ショッピングカートモジュール１３及び生活情報モジュール１４が含有され、また、内部にある管理制御センター１５によって制御され、任意のユーザーが、該装置１で、動的オーディオ/ビデオ広告や画像文字広告情報の受信や注文ができる。
【００１３】
該設定モジュール１１は、好み広告分類ユニット１１１と放送時間設定ユニット１１２及び自動放送広告ユニット１１３を有し、ユーザーにより選択したオプションを入力して、広告放送システムを設定することに利用され、また、各セットプログラムのウェブページに、それらのオプションの関連パラメーターが表示され、例えば、該好み広告分類ユニット１１１は、分類無しモード１１１１とコンピュータ情報モード１１１２、消費性電子モード１１１３、視聴家電モード１１１４、自動車バイクモード１１１５、服装付属品モード１１１６、飲食モード１１１７、映画予告モード１１１８及び他のモード１１１９等のパラメーターが表示され、該放送時間設定ユニット１１２は、期間制限無しモード１１２１と、例えば、午前7時乃至午前9時である第一予定期間モード１１２２と、例えば、正午12時乃至午後1時半である第二予定期間モード１１２３と、例えば、午後6時乃至午後10時である第三予定期間モード１１２４と、ユーザー自己設定モード１１２５等のパラメーターが表示され、該自動放送広告ユニット１１３は、上記各広告分類モードとその放送期間モードを、内部の予定値として設定できる。
【００１４】
該放送広告モジュール１２は、広告データベース１２１を有し、オンライン注文ユニット１２２と電話注文ユニット１２３、ショッピングカートに入れユニット１２４及び詳細データユニット１２５が含有され、インターネットを介して、即時に、或いは、事前に広告を伝播して放送し、該電話注文ユニット１２３により、直接にダイヤルして、必要とする商品の購入リストを送信し、或いは、該オンライン注文ユニット１２２を利用して、インターネットを介して、通信サーバー２で、該購入リストを送信し、ユーザーが、該詳細データユニット１２５で、広告内容を確認することや該広告製品のウェーブサイトに連結して購入したい製品を確認した後、取引を行う。
【００１５】
該ショッピングカートモジュール１３は、オンライン注文ユニット１３１と電話注文ユニット１３２及び詳細データユニット１３３が含有され、一時に、該ユーザーが、広告放送から選出した商品データを格納し、該電話注文ユニット１３２で、直接にダイヤルして、該ショッピングカートモジュール１３の商品購入リストを送信し、或いは、該オンライン注文ユニット１３１で、インターネットを介して、該通信サーバー２から該購入リストを送信し、或いは、該詳細データユニット１３３で、選択した広告製品の内容を再確認する。
【００１６】
該生活情報モジュール１４は、該通信サーバー２を介して、該ユーザーに対して、インターネットで、日常生活情報を表示し、また、該通信サーバー２を介して、インターネットで、該ユーザーの必要とする情報を有する各生活情報ウェーブサイトに連結する。
【００１７】
該管理制御センター１５は、外部プログラム制御と放送順番や時間、ファイル管理及び定期削除更新の管理機能を発揮し、また、インターネットを介して、該通信サーバー２に連結でき、該広告データベース１２１に格納されたユーザーの詳細データと購入リストを管理し、また、ユーザーが、クリックした広告記録を、該通信サーバー２に送信し、そして、該広告データベース１２１内のデータの放送手順が、該管理制御センター１５によって設定された放送メカニズムにより、該広告データベース１２１の内容を放送する。
【００１８】
上記各モジュールは、イントラネットにより、互いに連結され、また、インターネットを介して、外部に連結され、データの捕獲や送受信を行う。以上の構造により、新規の行動広告放送と生活情報買物サービスシステム装置１が構成される。
【００１９】
本考案によれば、ユーザー３が、携帯電話（Mobile Phone）やパーソナルデジタルアシスタント（PDA）、高度自動機能電話（Smart Phone）、iPhone或いは無線通信機能付きの行動装置等の何れかの無線通信設備５で、イントラネットを介して、本装置１に連結でき、本装置１は、更に、3Gや3.5G、GPRS、WiFi、WiMax或いは他の無線通信プロトコルの無線通信プロトコルグループの組合からなるインターネットを介して、該通信サーバー２に連結し、イントラネットやインターネットを利用して、提供された音楽や映画、服装と付属品或いは自動車バイク等の広告情報を本考案の行動広告放送と生活情報買物サービスシステム装置１に伝送して、広告情報の放送を行い、また、直接に、必要とする商品を注文できる。
【００２０】（公序良俗違反につき、不掲載）
【００２１】
以上のように、本考案は、該装置１の関連データを、該無線通信設備５に伝送し、該ユーザー３が操作する時、即時に、或いは、事前に格納されたデータを放送でき、該装置１は、該無線通信設備５により設定されたや予定された順番で、該広告データベース１２１の関連データを伝播でき、ユーザーが、自身の好みに従って、該広告データベース１２１の関連データの捕獲順番や伝播時間を設定でき、これにより、ユーザーが、受信する関連データを選択でき、興味のない関連データを受信することがなく、そのため、本考案によれば、直接に、懇意な且つ多元化の方式により様々の広告をユーザーに提供できる。
【００２２】
これにより、任意のユーザーが、行動装置で、外部から、無線通信プロトコルにより、本考案の行動広告放送と生活情報買物サービスシステム装置から、即時に、や非即時に、広告情報を閲覧でき、また、本装置により、任意のユーザーが、直接に、商品を注文して買物でき、そのため、本考案は、広告業者と生活業者、通路メーカ、ネット情報サービス及びオンライン買物を統合して、直接に、広大のユーザーに対して、動的オーディオ/ビデオ広告や画像文字広告情報の受信や注文を行うことを提供できる装置である。
【００２３】
以上のように、本考案は、行動広告放送と生活情報買物サービスシステム装置であり、有効に、従来の諸欠点を解消でき、任意のユーザーが、行動装置で、外部から、無線通信プロトコルにより、行動広告放送と生活情報買物サービスシステム装置から、即時に、や非即時に、広告情報を閲覧でき、また、直接に、商品を注文して買物でき、広告業者と生活業者、通路メーカ、ネット情報サービス及びオンライン買物を統合して、直接に、広大のユーザーに対して、動的オーディオ/ビデオ広告や画像文字広告情報の受信や注文を提供でき装置で、ユーザーが、自身の好みにより、データベースの関連データの捕獲順番や伝播時間を設定でき、懇意な且つ多元化の方式により、様々の広告をユーザーに提供できるため、本考案は、より進歩的かつより実用的で、法に従って実用新案登録請求を出願する。
【００２４】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【符号の説明】
【００２５】
１        行動広告放送と生活情報買物サービスシステム装置
１１      設定モジュール
１１１    好み広告分類ユニット
１１１１  分類無しモード
１１１２  コンピュータ情報モード
１１１３  消費性電子モード
１１１４  視聴家電モード
１１１５  自動車バイクモード
１１１６  服装付属品モード
１１１７  飲食モード
１１１８  映画予告モード
１１１９  他のモード
１１２    放送時間設定ユニット
１１２１  期間制限無しモード
１１２２  第一予定期間モード
１１２３  第二予定期間モード
１１２４  第三予定期間モード
１１２５  ユーザー自己設定モード
１１３    自動放送広告ユニット
１２      放送広告モジュール
１２１    広告データベース
１２２    オンライン注文ユニット
１２３    電話注文ユニット
１２４    ショッピングカートに入れユニット
１２５    詳細データユニット
１３      ショッピングカートモジュール
１３１    オンライン注文ユニット
１３２    電話注文ユニット
１３３    詳細データユニット
１４      生活情報モジュール
１５      管理制御センター
２        通信サーバー
３        ユーザー
５        無線通信設備
【図１】
0003161955.tif 000003
【図２】
0003161955.tif 000004
【手続補正書】
【提出日】平成22年6月23日(2010.6.23)
【手続補正１】
【補正対象書類名】明細書
【補正対象項目名】０００３
【補正方法】変更
【補正の内容】
【０００３】
一般の、従来の携帯式電子設備は、例えば、PDAや電話とカメラ機能を有する電子設備であり、使用する時、一般として、電信業者のシステムを介して連結し、また、必要とするウェブページのブラウズや文字メッセージの伝送及びマルチメディアオーディオ/ビデオデータの放送を行い、そのため、携帯式電子設備の使用便利性が実現された。電信業者は、無線アプリケーションサービスのプロバイダ（Wirelessapplication provider）であり、即ち、ユーザーに対して、上記のサービスを提供する。電信業者のシステムによれば、ユーザーが、サービスを受ける場合、オンラインや電話或いはメールで、電信業者に登録し、また、登録する時、ユーザーにより、その郵便番号や年齢が提供され、該ユーザーが登録終了した後、電信業者は、該ユーザーの郵便番号や年齢に基づいて、異なる小売商から収集した情報や販促情報を、ユーザーのPDAに送信し、ユーザーにより、当該メッセージの受信量やこれらのメッセージの送信回数及びメッセージの類別や商店を設定できる。
【手続補正２】
【補正対象書類名】明細書
【補正対象項目名】０００４
【補正方法】変更
【補正の内容】
【０００４】
しかしながら、これらのユーザーに対してサービスを提供する電信業者や、他の類似性質であるサービスプロバイダを提供する会社は、ユーザーに対して商品警告だけを提供する。ユーザーは、これらのメッセージを受信する方式を変更する度に、サービスプロバイダに知らせらなければならない。例えば、ユーザーが、指定していない商店の製品情報を受信する場合、ユーザーが、サービスプロバイダに連絡して、これらのサービスプロバイダに変更を知らせ、ユーザーの製品好みが、固定のモードにより変更されることができるが、その手順に、時間が掛かり、容易に、人に嫌がれ、また、時間の経過とともに、ユーザーが、ユーザーのメッセージ好みを更新することを熱中しなくなり、製品情報がユーザーに伝播された結果、その内容が、大部分、ユーザーの必要とする情報ではないため、ユーザーの興味が低減され、これらのメッセージの効果が低下するだけでなく、ユーザーの迷惑になり、また、通信資源の無駄を来たす。そのため、一般の従来のものは、ユーザーに満足できなく、実用的とは言えない。
【手続補正３】
【補正対象書類名】明細書
【補正対象項目名】００１９
【補正方法】変更
【補正の内容】
【００１９】
本考案によれば、ユーザー３が、携帯電話（Mobile Phone）やパーソナルデジタルアシスタント（PDA）、高度自動機能電話（Smart Phone）、iPhone（登録商標）或いは無線通信機能付きの行動装置等の何れかの無線通信設備５で、イントラネットを介して、本装置１に連結でき、本装置１は、更に、3Gや3.5G、GPRS、WiFi、WiMax或いは他の無線通信プロトコルの無線通信プロトコルグループの組合からなるインターネットを介して、該通信サーバー２に連結し、イントラネットやインターネットを利用して、提供された音楽や映画、服装と付属品或いは自動車バイク等の広告情報を本考案の行動広告放送と生活情報買物サービスシステム装置１に伝送して、広告情報の放送を行い、また、直接に、必要とする商品を注文できる。
【手続補正４】
【補正対象書類名】明細書
【補正対象項目名】００２０
【補正方法】変更
【補正の内容】
【００２０】
上記通信サーバー２は、インターネットを介して、該生活情報モジュール１４に連結され、該生活情報モジュール１４は、電信業者から伝送された旅行情報サービス、美食サービス、電車時刻表サービス、ホテルサービス、占星サービス、法律相談サービス及びインターネット本屋サービス等の情報を、ユーザーに対して提供し、該ユーザー３が、更に、該設定モジュール１１で、広告内容に対して分類し、また、その放送時間を設定でき、また、該放送広告ユニット１２が、内部の予定値に基づいて広告放送を行う。その中、該ユーザー３は、必要とする情報を、該通信サーバー２を介して、インターネット経由で、該広告データベース１２１に格納でき、暇がある時、それを閲覧でき、また、即時に広告情報の受信を行い、また、直接に、必要とする商品をクリックして、電話やオンラインで注文でき、そして、選出した商品を、該ショッピングカートに入れユニット１２４で、該ショッピングカートモジュール１３に入れ込み、該ユーザー３が、購入したい商品を選択した後、一括に該オンライン注文ユニット１３１や該電話注文ユニット１３２で、注文する。取引終了する前、該ユーザー３は、該詳細データユニット１３３で、広告内容を閲覧することや該広告製品のウェーブサイトに連結して購入したい製品を再確認することができ、その後、取引を行う。
【手続補正５】
【補正対象書類名】実用新案登録請求の範囲
【補正対象項目名】全文
【補正方法】変更
【補正の内容】
【実用新案登録請求の範囲】
【請求項１】
ユーザーによって連結された無線通信設備を利用し、少なくとも、設定モジュールと放送広告モジュール、ショッピングカートモジュール及び生活情報モジュールが含有され、また、内部にある管理制御センターによって制御され、任意のユーザーが、動的オーディオ/ビデオ広告や画像文字広告情報の受信や注文ができる行動広告放送と生活情報買物サービスシステム装置であって、
該設定モジュールは、好み広告分類ユニットと放送時間設定ユニット及び自動放送広告ユニットを有し、ユーザーにより選択したオプションを入力して、広告放送システムを設定することに利用され、また、各セットプログラムのウェブページに、それらのオプションの関連パラメーターが表示され、
該放送広告モジュールは、広告データベースを有し、オンライン注文ユニットと電話注文ユニット、ショッピングカートに入れユニット及び詳細データユニットが含有され、インターネットを介して、即時に、或いは、事前に広告を伝播して放送し、該電話注文ユニットにより、直接にダイヤルして、必要とする商品の購入リストを送信し、或いは、該オンライン注文ユニットを利用して、インターネットを介して、通信サーバーで、該購入リストを送信し、ユーザーが、詳細データユニットで、広告内容を確認することや広告製品のウェーブサイトに連結して購入したい製品を確認した後、取引を行い、
該ショッピングカートモジュールは、オンライン注文ユニットと電話注文ユニット及び詳細データユニットが含有され、一時に、該ユーザーが、広告放送から選出した商品データを格納し、該電話注文ユニットで、直接にダイヤルして、該ショッピングカートモジュールの商品購入リストを送信し、或いは、該オンライン注文ユニットで、インターネットを介して、該通信サーバーから該購入リストを送信し、或いは、選択した広告製品の内容を再確認し、
該生活情報モジュールは、該通信サーバーを介して、該ユーザーに対して、インターネットで、日常生活情報を表示し、また、該通信サーバーを介して、インターネットで、該ユーザーの必要とする情報を有する各生活情報ウェーブサイトに連結し、
該管理制御センターは、外部プログラム制御と放送順番や時間、ファイル管理及び定期削除更新の管理機能を発揮し、また、インターネットを介して、該通信サーバーに連結でき、該広告データベースに格納されたユーザーの詳細データと購入リストを管理し、また、ユーザーが、クリックした広告記録を、通信サーバーに送信し、そして、該広告データベース内のデータの放送手順が、該管理制御センターによって設定された放送メカニズムにより、該広告データベースの内容を放送し、
上記各モジュールは、イントラネットにより、互いに連結され、また、インターネットを介して、外部に連結され、データの捕獲や送受信を行う、
ことを特徴とする行動広告放送と生活情報買物サービスシステム装置。